(57)【要約】【課題】積層された複数の電磁鋼板間にワニスが流れるのを抑制し、回転電機の騒音・振動特性の悪化を抑制可能な回転電機のステータを提供する。【解決手段】回転電機のステータ１０は、複数のスロット１６を有するステータコア１２と、ステータコア１２に取付けられるコイル２０と、を備え、ステータコア１２は、積層された複数の電磁鋼板から構成される。コイル２０は、絶縁紙３０を介してスロット１６に挿入される複数のスロットコイル部２１を有し、複数のスロットコイル部２１は、絶縁紙３０に囲まれ、ワニスによって固定されている。スロットコイル部２１は、導体部２１１と、導体部２１１の外周面を囲む絶縁部２１２と、を有し、絶縁部２１２には、ワニス流路２２が形成されている。【選択図】図２
2019213293.tif 000002
【特許請求の範囲】
【請求項１】
複数のスロットを有するステータコアと、
前記ステータコアに取付けられるコイルと、を備え、
前記ステータコアは、積層された複数の電磁鋼板から構成され、
前記コイルは、絶縁紙を介して前記スロットに挿入される複数のスロットコイル部を有し、
前記複数のスロットコイル部は、前記絶縁紙に囲まれ、ワニスによって固定されている、回転電機のステータであって、
前記スロットコイル部は、導体部と、前記導体部の外周面を囲む絶縁部と、を有し、
前記絶縁部には、ワニス流路が形成されている、回転電機のステータ。
【請求項２】
請求項１に記載の回転電機のステータであって、
前記導体部には、外周面に凹部が形成されており、
前記ワニス流路は、該凹部の外周に形成されている、回転電機のステータ。
【請求項３】
請求項１または２に記載の回転電機のステータであって、
前記ワニス流路は、前記ステータコアの軸心と平行に延びる溝部を有する、回転電機のステータ。
【請求項４】
請求項３に記載の回転電機のステータであって、
前記スロットコイル部は、断面が多角形であり、
前記溝部は、少なくとも１つの隣接する前記スロットコイル部との接触面に形成される、回転電機のステータ。
【請求項５】
請求項１または２に記載の回転電機のステータであって、
前記スロットコイル部は、断面が多角形であり、
前記ワニス流路は、前記ステータコアの軸心と平行に延びる第一溝部と、前記第一溝部と交差する第二溝部を有し、
前記第二溝部は、前記第一溝部が形成された側面から、該側面とは異なる側面に亘って連続して延びる、回転電機のステータ。
【請求項６】
請求項５に記載の回転電機のステータであって、
前記第一溝部及び前記第二溝部は、少なくとも１つの隣接する前記スロットコイル部との接触面に形成される、回転電機のステータ。
【請求項７】
請求項１または２に記載の回転電機のステータであって、
前記ワニス流路は、前記スロットコイル部の外周面を螺旋状に延びる溝部を有する、回転電機のステータ。
【請求項８】
請求項７に記載の回転電機のステータであって、
前記スロットコイル部は、断面が多角形であり、
前記ワニス流路は、隣接する前記スロットコイル部に設けられた前記ワニス流路と、少なくとも一部が重なることにより、前記ステータコアの軸心に沿って延びる流路が形成されるように配置されている、回転電機のステータ。
【請求項９】
請求項１または２に記載の回転電機のステータであって、
前記スロットコイル部は、断面が多角形であり、
前記ワニス流路は、隣接する前記スロットコイル部との接触面に、前記ステータコアの軸心から所定角度傾斜した複数の溝部を有し、隣接する前記スロットコイル部に設けられた前記ワニス流路と、少なくとも一部が重なることにより前記ステータコアの軸心方向に沿って流路が形成されるように配置されている、回転電機のステータ。
【請求項１０】
請求項１〜９のいずれか１項に記載の回転電機のステータであって、
前記ワニス流路は、プレス加工によって形成されている、回転電機のステータ。
【請求項１１】
請求項１に記載の回転電機のステータであって、
前記スロットコイル部は、断面が多角形であり、
前記ワニス流路は、前記絶縁部の外周面を粗面加工することによって形成されている、回転電機のステータ。
【発明の詳細な説明】
【技術分野】
【０００１】
本発明は、回転電機のステータに関し、特に、ステータコアのスロットに挿入される複数のスロットコイル部がワニスによって固定されている、回転電機のステータに関する。
【背景技術】
【０００２】
従来から、ステータコアのスロット内に絶縁紙を配置し、スロット内の絶縁紙を介してステータコアにコイルを巻装し、スロット内でコイルがワニスにより固定されている回転電機のステータが知られている。例えば、特許文献１には、ステータコアの軸方向両端に位置するコイルエンドにワニスを滴下し、ステータコアのスロット内に挿入されたスロットコイル部にワニスを含浸させることにより、スロットコイル部がワニスによって固定されている回転電機のステータが開示されている。
【先行技術文献】
【特許文献】
【０００３】
【特許文献１】特開２００６−００６０５４号公報
【発明の概要】
【発明が解決しようとする課題】
【０００４】
しかしながら、特許文献１のバッテリモジュールでは、ステータコアが積層された複数の電磁鋼板から構成されている場合、ステータコアの軸方向両端に位置するコイルエンドにワニスを滴下し、ステータコアのスロット内に挿入されたスロットコイル部にワニスを含浸させると、スロット部から電磁鋼板間にワニスが流れる。電磁鋼板間に流れたワニスが固化すると、電磁鋼板間の保持力が大きくなり、ステータコアの剛性が高くなる。これにより、回転電機のロータが回転する際に、ステータとロータとの間に発生する反力(磁気吸引力やトルクリプル等)に起因する起振力が、積層された複数の電磁鋼板によって減衰されず、回転電機の騒音・振動特性が悪化するという問題があった。
【０００５】
本発明は、積層された複数の電磁鋼板間にワニスが流れるのを抑制し、回転電機の騒音・振動特性の悪化を抑制可能な回転電機のステータを提供する。
【課題を解決するための手段】
【０００６】
本発明は、
複数のスロットを有するステータコアと、
前記ステータコアに取付けられるコイルと、を備え、
前記ステータコアは、積層された複数の電磁鋼板から構成され、
前記コイルは、絶縁紙を介して前記スロットに挿入される複数のスロットコイル部を有し、
前記複数のスロットコイル部は、前記絶縁紙に囲まれ、ワニスによって固定されている、回転電機のステータであって、
前記スロットコイル部は、導体部と、前記導体部の外周面を囲む絶縁部と、を有し、
前記絶縁部には、ワニス流路が形成されている。
【発明の効果】
【０００７】
本発明によれば、ワニスを含浸することによって複数のスロットコイル部を固定する際、毛細管現象によって、より多くのワニスがワニス流路を流れるので、積層された複数の電磁鋼板間へワニスが流れることを抑制できる。これにより、電磁鋼板間の保持力が大きくなることを抑制でき、ステータコアの剛性が高くなることに起因する回転電機の騒音・振動特性の悪化を抑制できる。
【図面の簡単な説明】
【０００８】
【図１】本発明の一実施形態における回転電機のステータの要部断面図である。
【図２】図１のスロットコイル部を斜め上方から見た斜視図である。
【図３】本発明の一実施形態における回転電機のステータのスロットコイル部の第１変形例の斜視図である。
【図４】本発明の一実施形態における回転電機のステータのスロットコイル部の第２変形例の斜視図である。
【図５】本発明の一実施形態における回転電機のステータのスロットコイル部の第３変形例の斜視図である。
【図６Ａ】本発明の一実施形態における回転電機のステータのスロットコイル部の第４変形例の斜視図である。
【図６Ｂ】図６Ａのスロットコイル部の平面図である。
【図７】本発明の一実施形態における回転電機のステータのスロットコイル部の第５変形例の斜視図である。
【発明を実施するための形態】
【０００９】
以下、本発明の回転電機のステータの一実施形態について、添付図面に基づいて説明する。
【００１０】
＜ステータ＞
図１に示すように、本実施形態に係る回転電機のステータ１０は、磁性体材料からなる円環状の電磁鋼板を複数積層して形成されるステータコア１２と、コイル２０と、を備える。ステータコア１２は、周方向に沿って所定の間隔で径方向内側に突出する複数のティース１４と、隣接するティース１４の間の空間であるスロット１６と、を備える。
【００１１】
コイル２０は、スロット１６内の径方向の内側から外側に並べて配置される複数（図１では８個）のスロットコイル部２１を有する。スロットコイル部２１は、導体部２１１と、導体部２１１の外周面に皮膜加工により形成された絶縁部２１２と、を有する（図２参照）。スロットコイル部２１の断面は四角形である。なお、スロットコイル部２１は、２つのスロットコイル部２１が連結されたＵ字状のセグメントコイルの一部であってもよく、一本の直線状又はクランク状のセグメントコイルであってもよく、分布巻き又は連続巻きされたコイルの一部であってもよい。
【００１２】
さらに、ステータコア１２の径方向に並べて配置された８個のスロットコイル部２１は、絶縁紙３０を介してスロット１６に挿入されている。絶縁紙３０は、スロット１６の開口部１６Ａ、底壁１６Ｕ及び側壁１６Ｓに沿って配置され、８個のスロットコイル部２１は、絶縁紙３０に囲まれている。
【００１３】
コイル２０は、絶縁紙３０とともにステータコア１２に固定される。具体的には、ステータコア１２の軸方向一端部又は両端部からコイル２０にワニスが滴下されることによって、スロット１６内、特に絶縁紙３０の内周側の領域にワニスが流れ、８個のスロットコイル部２１同士及び８個のスロットコイル部２１と絶縁紙３０とが固定される。なお、絶縁紙３０の外周側の領域に、即ち、絶縁紙３０とスロット１６との間にも、適度にワニスが流れることで、８個のスロットコイル部２１が絶縁紙３０を介してステータコア１２に固定される。一方で、絶縁紙３０とスロット１６との間に過剰なワニスが流れると、積層された電磁鋼板間の保持力が大きくなり、回転電機の騒音・振動特性が悪化する原因となる。そこで、スロットコイル部２１には、以下で説明するようにワニス流路２２が設けられる。
【００１４】
＜スロットコイル部＞
図２に示すように、断面が四角形のスロットコイル部２１は、四つの面を有する。以下の説明では、便宜上、スロット１６の底壁１６Ｕと対向する面を上面２１Ｕ、開口部１６Ａと対向する面を下面２１Ｄ、側壁１６Ｓに対向する面を左側面２１Ｌ及び右側面２１Ｒと称する。
【００１５】
スロット１６内の最も開口部１６Ａ側に配置されたスロットコイル部２１、及び、最も底壁１６Ｕ側に配置されたスロットコイル部２１以外のスロットコイル部２１は、上面２１Ｕ及び下面２１Ｄが、隣接するスロットコイル部２１と接している。スロット１６内の最も開口部１６Ａ側に配置されたスロットコイル部２１は、上面２１Ｕが隣接するスロットコイル部２１と接し、下面２１Ｄがスロット１６の開口部１６Ａと対向している。スロット１６内の最も底壁１６Ｕ側に配置されたスロットコイル部２１は、下面２１Ｄが隣接するスロットコイル部２１と接し、上面２１Ｕがスロット１６の底壁１６Ｕと絶縁紙３０を介して接している。また、スロットコイル部２１の左側面２１Ｌ及び右側面２１Ｒは、絶縁紙３０を介してスロット１６の側壁１６Ｓと接している（図１参照）。
【００１６】
スロットコイル部２１の上面２１Ｕ及び下面２１Ｄの絶縁部２１２には、ワニス流路２２が形成されている。ワニス流路２２は、絶縁部２１２に形成された、ステータコア１２の軸心と平行に延びる第一溝部２２１を有する。なお、第一溝部２２１を有するワニス流路２２が形成されるのは、スロットコイル部２１の上面２１Ｕ及び下面２１Ｄの一方でもよい。
【００１７】
このように構成されたスロットコイル部２１を有するコイル２０に、ステータコア１２の軸方向一端部又は両端部からワニスを滴下すると、ワニスはスロット１６内に導入された後、毛細管現象によって、ワニス流路２２であるステータコア１２の軸心と平行に延びる第一溝部２２１へと、より多く導かれる。したがって、ステータコア１２の積層された複数の電磁鋼板間へワニスが流れることが抑制される。これにより、ワニスによって電磁鋼板間の保持力が大きくなることを抑制できるので、ステータコアの剛性が高くなることに起因する回転電機の騒音・振動特性の悪化を抑制できる。
【００１８】
また、ワニス流路２２は、隣接するスロットコイル部２１との接触面であるスロットコイル部２１の上面２１Ｕ及び下面２１Ｄの絶縁部２１２に形成されるので、隣接するスロットコイル部２１との接触面に多くのワニスが供給され、スロットコイル部２１間の接着性が向上する。
【００１９】
また、ワニス流路２２は、絶縁部２１２に形成されているので、スロット１６内のコイル２０の占積率を下げることなく、回転電機の騒音・振動特性の悪化を抑制できる。
【００２０】
さらに、ワニス流路２２は、ステータコア１２の軸心と平行に延びる第一溝部２２１によって形成されているので、ワニス流路２２を容易に形成できる。
【００２１】
［第１変形例］
図３に示すように、スロットコイル部２１の導体部２１１には、外周面に凹部２１１ａが形成されており、ワニス流路２２は、導体部２１１の凹部２１１ａの外周に形成されていてもよい。
【００２２】
この場合、スロットコイル部２１を製造する際、導体部２１１の外周面に凹部２１１ａを形成後、絶縁部２１２を導体部２１１に皮膜加工することで、第一溝部２２１を形成できる。これにより、皮膜加工により形成された絶縁部２１２を加工する必要がなく、ワニス流路２２を容易に形成できる。
【００２３】
［第２変形例］
図４に示すように、スロットコイル部２１に形成されたワニス流路２２は、上面２１Ｕ、下面２１Ｄ、左側面２１Ｌ及び右側面２１Ｒにそれぞれ設けられた第一溝部２２１と、これら第一溝部２２１と交差し、上面２１Ｕ、下面２１Ｄ、左側面２１Ｌ及び右側面２１Ｒに連続して延びる第二溝部２２２を有していてもよい。第一溝部２２１と第二溝部２２２は、直角に交差していてもよいし、所定角度傾斜して交差していてもよい。
【００２４】
なお、第一溝部２２１は全ての面に形成されている必要はなく、少なくとも一面以上に設けられていればよい。好ましくは、第一溝部２２１は、隣接するスロットコイル部２１との接触面、すなわちスロットコイル部２１の上面２１Ｕ及び下面２１Ｄに形成される。また、第二溝部２２２は、異なる側面に形成された第一溝部２２１同士を接続するものでなくてもよく、第一溝部２２１が形成された側面から、該側面とは異なる側面に亘って連続して延びるものであればよい。
【００２５】
これにより、ステータコア１２の軸心と平行に延びる第一溝部２２１が形成された隣接するスロットコイル部２１との接触面、すなわちスロットコイル部２１の上面２１Ｕ及び下面２１Ｄ以外の、例えばスロットコイル部２１の左側面２１Ｌ及び右側面２１Ｒと絶縁紙３０の間を流れるワニスも、第二溝部２２２からワニス流路２２に導入することができ、積層された複数の電磁鋼板間へワニスが流れることをより抑制できる。
【００２６】
［第３変形例］
図５に示すように、スロットコイル部２１に形成されたワニス流路２２は、スロットコイル部２１の外周面を螺旋状に延びる螺旋溝部２２３としてもよい。
【００２７】
これにより、隣接するスロットコイル部２１との接触面であるスロットコイル部２１の上面２１Ｕ及び下面２１Ｄ以外の、例えばスロットコイル部２１の左側面２１Ｌ及び右側面２１Ｒと絶縁紙３０の間を流れるワニスも、ワニス流路２２に導入することができ、積層された複数の電磁鋼板間へワニスが流れることをより抑制できる。
【００２８】
さらに、スロットコイル部２１の外周面を螺旋状に延びるワニス流路２２と、隣接するスロットコイル部２１の外周面を螺旋状に延びるワニス流路２２とは、逆向きの螺旋であり、少なくとも一部が重なることにより、ステータコア１２の軸心に沿って延びる流路が形成されるように配置されてもよい。この場合、スロットコイル部２１のワニス流路２２と、隣接するスロットコイル部２１のワニス流路２２とによって、スロットコイル部２１と隣接するスロットコイル部２１との接触面であるスロットコイル部２１の上面２１Ｕ及び下面２１Ｄにおいて、ステータコア１２の軸心方向に沿って延びる流路が形成される。
【００２９】
これにより、隣接するスロットコイル部２１との接触面において、スロットコイル部２１のワニス流路２２と、隣接するスロットコイル部２１のワニス流路２２とによって、ワニスの流路面積を大きくすることができ、スロットコイル部２１間の接着性がより向上する。
【００３０】
［第４変形例］
図６Ａ及び図６Ｂに示すように、スロットコイル部２１に形成されたワニス流路２２は、スロットコイル部２１の上面２１Ｕに、ステータコア１２の軸心から所定角度傾斜した複数の傾斜溝部２２４Ｕ、スロットコイル部２１の下面２１Ｄに、ステータコア１２の軸心から、傾斜溝部２２４Ｕと逆方向に所定角度傾斜した複数の傾斜溝部２２４Ｄを有してもよい。このとき、スロットコイル部２１の上面２１Ｕに形成された複数の傾斜溝部２２４Ｕは、スロットコイル部２１の上面２１Ｕと接するスロットコイル部２１の下面２１Ｄにされた複数の傾斜溝部２２４Ｄと、少なくとも一部が重なっている。そして、スロットコイル部２１の上面２１Ｕに形成された複数の傾斜溝部２２４Ｕと、スロットコイル部２１の上面２１Ｕと接するスロットコイル部２１の下面２１Ｄにされた複数の傾斜溝部２２４Ｄとによって、ステータコア１２の軸心方向に延びるワニス流路２２が形成されるように配置される。
【００３１】
これにより、隣接するスロットコイル部２１との接触面において、スロットコイル部２１のワニス流路２２と、隣接するスロットコイル部２１のワニス流路２２とによって、容易な加工でワニスの流路面積を大きくすることができる。
【００３２】
ここで、第一溝部２２１、第二溝部２２２、螺旋溝部２２３、及び傾斜溝部２２４Ｕ、２２４Ｄは、切削加工やプレス加工等、任意の加工方法によって形成可能であるが、好ましくは、プレス加工によって形成される。
【００３３】
これにより、スロットコイル部２１を曲げ加工する際、ワニス流路２２である第一溝部２２１、第二溝部２２２、螺旋溝部２２３、及び傾斜溝部２２４Ｕ、２２４Ｄに応力が集中することを緩和できるので、絶縁部２１２が破損する虞を低減できる。
【００３４】
［第５変形例］
図７に示すように、スロットコイル部２１に形成されたワニス流路２２は、絶縁部２１２の外周面を粗面加工することによって形成されていてもよい。これにより、切削加工やプレス加工等が不要で、スロットコイル部２１にワニス流路２２を容易に形成することができる。また、粗面加工により、隣接するスロットコイル部２１との接触面には多くの隙間が形成され、この隙間がワニス流路２２となるので、ワニス流路２２は大きな流路面積を確保できる。これにより、スロットコイル部２１間の接着性が向上する。
【００３５】
なお、前述した実施形態は、適宜、変形、改良、等が可能である。例えば、本実施形態では、スロットコイル部２１の断面は四角形としたが、任意の形状とすることができ、三角形、六角形等の多角形としてもよく、また、異なる多角形の組合せとしてもよい。このようにすると、スロットコイル部２１を隣接するスロットコイル部２１と隙間なく配置することが可能となり、スロット１６内におけるコイル２０の占積率が向上し、また、スロットコイル部２１間の接着性が向上する。
【００３６】
また、本実施形態では、第一溝部２２１は、スロットコイル部２１の上面２１Ｕ、下面２１Ｄ、左側面２１Ｌ及び右側面２１Ｒの同一面につき一つとしたが、同一面に複数有していてもよい。このようにすると、第一溝部２２１の幅を広くすることなくワニスの流路面積を大きくすることが可能となり、より多くのワニスをワニス流路２２へ導くことができる。
【００３７】
また、本明細書には少なくとも以下の事項が記載されている。なお、括弧内には、上記した実施形態において対応する構成要素等を示しているが、これに限定されるものではない。
【００３８】
（１）  複数のスロット（スロット１６）を有するステータコア（ステータコア１２）と、
前記ステータコアに取付けられるコイル（コイル２０）と、を備え、
前記ステータコアは、積層された複数の電磁鋼板から構成され、
前記コイルは、絶縁紙（絶縁紙３０）を介して前記スロットに挿入される複数のスロットコイル部（スロットコイル部２１）を有し、
前記複数のスロットコイル部は、前記絶縁紙に囲まれ、ワニスによって固定されている、回転電機のステータ（ステータ１０）であって、
前記スロットコイル部は、導体部（導体部２１１）と、前記導体部の外周面を囲む絶縁部（絶縁部２１２）と、を有し、
前記絶縁部には、ワニス流路（ワニス流路２２）が形成されている、回転電機のステータ。
【００３９】
（１）によれば、ワニスを含浸することによって複数のスロットコイル部を固定する際、毛細管現象によって、より多くのワニスがワニス流路を流れるので、積層された複数の電磁鋼板間へワニスが流れることを抑制できる。これにより、電磁鋼板間の保持力が大きくなることを抑制でき、ステータコアの剛性が高くなることに起因する回転電機の騒音・振動特性の悪化を抑制できる。
また、ワニス流路は絶縁部に形成されているので、スロットコイル部の占積率を下げることなく回転電機の騒音・振動特性の悪化を抑制できる。
【００４０】
（２）  （１）に記載の回転電機のステータであって、
前記導体部には、外周面に凹部（凹部２１１ａ）が形成されており、
前記ワニス流路は、該凹部の外周に形成されている、回転電機のステータ。
【００４１】
（２）によれば、導体部は、外周面には凹部が形成されており、ワニス流路は、該凹部の外周に形成されているので、導体部の外周面に凹部を形成後、絶縁部を導体部に皮膜加工することで、ワニス流路を形成できる。これにより、ワニス流路を容易に形成できる。
【００４２】
（３）  （１）または（２）に記載の回転電機のステータであって、
前記ワニス流路は、前記ステータコアの軸心と平行に延びる溝部（第一溝部２２１）を有する、回転電機のステータ。
【００４３】
（３）によれば、ワニス流路は、ステータコアの軸心と平行に延びる溝部により形成できるので、ワニス流路を容易に形成できる。
【００４４】
（４）  （３）に記載の回転電機のステータであって、
前記スロットコイル部は、断面が多角形であり、
前記溝部は、少なくとも１つの隣接する前記スロットコイル部との接触面に形成されている、回転電機のステータ。
【００４５】
（４）によれば、スロットコイル部は、断面が多角形であり、溝部は、隣接するスロットコイル部との接触面に形成されているので、隣接するスロットコイル部との接触面に多くのワニスが供給され、スロットコイル部間の接着性が向上する。
【００４６】
（５）  （１）または（２）に記載の回転電機のステータであって、
前記スロットコイル部は、断面が多角形であり、
前記ワニス流路は、前記ステータコアの軸心と平行に延びる第一溝部（第一溝部２２１）と、前記第一溝部と交差する第二溝部（第二溝部２２２）を有し、
前記第二溝部は、前記第一溝部が形成された側面から、該側面とは異なる側面に亘って連続して延びる、回転電機のステータ。
【００４７】
（５）によれば、スロットコイル部は、断面が多角形であり、ワニス流路は、第一溝部が形成された側面から、該側面とは異なる側面に亘って連続して延びる第二溝部を有するので、第一溝部が形成された側面以外を流れるワニスもワニス流路に導入することができる。これにより、積層された複数の電磁鋼板間へワニスが流れることをより抑制できる。
【００４８】
（６）  （５）に記載の回転電機のステータであって、
前記スロットコイル部は、断面が多角形であり、
前記第一溝部及び前記第二溝部は、少なくとも１つの隣接する前記スロットコイル部との接触面に形成される、回転電機のステータ。
【００４９】
（６）によれば、スロットコイル部は、断面が多角形であり、第一溝部及び第二溝部は、少なくとも１つの隣接するスロットコイル部との接触面に形成されるので、隣接するスロットコイル部との接触面に多くのワニスが供給され、スロットコイル部間の接着性が向上する。
【００５０】
（７）  （１）または（２）に記載の回転電機のステータであって、
前記ワニス流路は、前記スロットコイル部の外周面を螺旋状に延びる溝部（螺旋溝部２２３）を有する、回転電機のステータ。
【００５１】
（７）によれば、ワニス流路は、スロットコイル部の外周面を螺旋状に延びる溝部を有するので、絶縁紙とスロットコイル部との間を流れるワニスもワニス流路に導入することができる。
【００５２】
（８）  （７）に記載の回転電機のステータであって、
前記スロットコイル部は、断面が多角形であり、
前記ワニス流路は、隣接する前記スロットコイル部に設けられた前記ワニス流路と、少なくとも一部が重なることにより、前記ステータコアの軸心方向に延びる流路が形成されるように配置されている、回転電機のステータ。
【００５３】
（８）によれば、ワニス流路は、隣接するスロットコイル部に設けられたワニス流路と、少なくとも一部が重なることによりステータコアの軸心方向に延びる流路が形成されるように配置されているので、隣接するスロットコイル部との接触面におけるワニス流路の流路面積を大きくすることができ、スロットコイル部間の接着性が向上する。
【００５４】
（９）  （１）または（２）に記載の回転電機のステータであって、
前記スロットコイル部は、断面が多角形であり、
前記ワニス流路は、隣接する前記スロットコイル部との接触面に、前記ステータコアの軸心から所定角度傾斜した複数の溝部（傾斜溝部２２４Ｕ、２２４Ｄ）を有し、隣接する前記スロットコイル部に設けられた前記ワニス流路と、少なくとも一部が重なることにより前記ステータコアの軸心方向に延びる流路が形成されるように配置されている、回転電機のステータ。
【００５５】
（９）によれば、スロットコイル部は、断面が多角形であり、ワニス流路は、隣接するスロットコイル部との接触面に、ステータコアの軸心から所定角度傾斜した複数の溝部を有し、隣接するスロットコイル部に設けられたワニス流路と、少なくとも一部が重なることによりステータコアの軸心方向に延びる流路が形成されるように配置されているので、容易な加工で、隣接するスロットコイル部との接触面におけるワニス流路の流路面積を大きくすることができ、スロットコイル部間の接着性が向上する。
【００５６】
（１０）  （１）〜（９）のいずれか１項に記載の回転電機のステータであって、
前記ワニス流路は、プレス加工によって形成されている、回転電機のステータ。
【００５７】
（１０）によれば、ワニス流路は、プレス加工によって形成されているので、スロットコイル部を曲げ加工する際、ワニス流路部分に応力が集中することを緩和でき、絶縁部が破損する虞を低減できる。
【００５８】
（１１）  （１）に記載の回転電機のステータであって、
前記スロットコイル部は、断面が多角形であり、
前記ワニス流路は、前記絶縁部の外周面を粗面加工することによって形成されている、回転電機のステータ。
【００５９】
（１１）によれば、ワニス流路は、絶縁部の外周面を粗面加工することによって形成されているので、切削加工やプレス加工などが不要でワニス流路を容易に形成することができる。また、粗面加工により、隣接するスロットコイル部との接触面には多くの隙間が形成され、この隙間がワニス流路となるので、ワニス流路は大きな流路面積を確保できる。これにより、スロットコイル部間の接着性が向上する。
【符号の説明】
【００６０】
１０  ステータ
１２  ステータコア
１６  スロット
２０  コイル
２１  スロットコイル部
２１１  導体部
２１１ａ  凹部
２１２  絶縁部
２２  ワニス流路
２２１  第一溝部
２２２  第二溝部
２２３  螺旋溝部
２２４Ｕ、２２４Ｄ  傾斜溝部
３０  絶縁紙
【図１】
2019213293.tif 000003
【図２】
2019213293.tif 000004
【図３】
2019213293.tif 000005
【図４】
2019213293.tif 000006
【図５】
2019213293.tif 000007
【図６Ａ】
2019213293.tif 000008
【図６Ｂ】
2019213293.tif 000009
【図７】
2019213293.tif 000010